(57)【要約】      （修正有）【課題】インバータ段数の積み上げによる傾斜磁場電源構成において、応答性を犠牲にする事無くスイッチング損失の低減を図った傾斜磁場電源装置を提供する。【解決手段】多段に構成されたインバータブロックを有するインバータ部１１に、所定のブロックを一定の順序で切り離し可能に切替接続するスイッチ手段１３を備え、インバータ部１１を制御する制御部に、目標とする傾斜磁場コイル電流波形の傾きをもとに単位時間あたりの傾きの増減判定を行い、当該増減判定に従い、スイッチ手段を制御して、インバータ段数の切替接続を実施し、切り離したインバータブロックへのスイッチング制御信号の供給を停止する処理手段を備えた。【選択図】図３
2014083303.tif 000002
【特許請求の範囲】
【請求項１】
多段に構成されたインバータブロックを有するインバータ部と、前記インバータブロックを制御して前記インバータ部から傾斜磁場コイルに供給する電圧を出力する制御部とを具備した傾斜磁場電源装置において、
前記インバータ部は、
前記傾斜磁場コイルに供給する電圧を出力する電源出力端間において、前記多段に構成されたインバータブロックから所定のブロックを一定の順序で切り離し可能に切替接続するスイッチ手段を具備し、
前記制御部は、
目標とする傾斜磁場コイル電流波形の傾きをもとに単位時間あたりの傾きの増減判定を行い、当該増減判定に従い、前記スイッチ手段を制御して、インバータ段数の切替接続を実施し、切り離したインバータブロックへのスイッチング制御信号の供給を停止する処理手段を具備した
ことを特徴とする傾斜磁場電源装置。
【請求項２】
前記制御部の前記処理手段は、前記傾きの増減判定において、目標値の傾きが予め設定された閾値に応じ前記インバータ部の構成を増減する、前記インバータブロックの接続及び切り離し処理を実施することを特徴とする請求項１に記載の傾斜磁場電源装置。
【請求項３】
前記多段に構成されたインバータブロックは、それぞれ単一の回路モジュールにより構成されていることを特徴とする請求項１に記載の傾斜磁場電源装置。
【請求項４】
前記制御部の前記処理手段は、前記多段に構成されたインバータブロックを、高い応答性が求められる前記傾斜磁場コイルの電流波形の傾きが大きい時は、全段積み上げ最大の電圧を出力する事で応答性を向上し、高い応答性が求められない前記傾斜磁場コイルの電流波形の傾きが小さい時は、積み上げる段数を減少させスイッチング損失を低減させる処理を実施することを特徴とする請求項１に記載の傾斜磁場電源装置。
【請求項５】
多段に構成されたインバータブロックを有するインバータ部を制御して前記インバータ部から出力された電圧を傾斜磁場コイルに供給する制御装置としてコンピュータを機能させるための傾斜磁場電源供給制御プログラムであって、
目標とする傾斜磁場コイル電流波形の傾きをもとに単位時間あたりの傾きの増減判定を実施する機能と、
前記傾きが予め設定された閾値の範囲を超えて増加している状態を判定したとき、前記インバータブロックを多段に積み上げる機能と、
前記傾きが閾値の範囲内になった状態を判定したとき、前記インバータブロックを要求される応答性の実現上最低限必要な段数に切り替える機能と、
前記傾きが予め設定された閾値の範囲を超えて減少している状態を判定したとき、前記インバータブロックを積み上げ段数を減少させる機能と、
をコンピュータに実現させるための傾斜磁場電源供給制御プログラム。
【発明の詳細な説明】
【技術分野】
【０００１】
本発明は、ＭＲＩ（magnetic resonance imaging）装置に適用される傾斜磁場電源装置に関する。
【背景技術】
【０００２】
ＭＲＩ装置に適用される傾斜磁場電源装置においては、傾斜磁場を生成する傾斜磁場コイルに、高電圧を印加することで傾斜磁場の変化応答性の改善を図っている。
【０００３】
この傾斜磁場コイルに高電圧を印加する手段として、高耐圧部品を用いた回路構成や、インバータ段数の積み上げによる高電圧化構成が適用される。
【０００４】
高耐圧部品を使用する回路構成は、構成部品が高価となることから経済性の面で不利となる場合がある。
【０００５】
一方、インバータ段数の積み上げによる高電圧化構成は、インバータ段数に伴いスイッチング素子数も増加し、動作するスイッチング素子数に比例してスイッチング損失も増加する為、求められる出力電圧が動的に変化するような運用では、装置の運転状況は常に最大負荷（最高性能）では無いため、要求される応答性に対し装置の性能が過剰となる運転状況もあり、そのとき余剰となるインバータ回路もスイッチング動作により損失を発生する為、出力に寄与しないスイッチング損失が電力効率低下の原因となっていた。
【０００６】
電力増幅回路を多段に構成した従来技術としては、増幅される変調信号の出力電力に従い、増幅段数を切り替える高周波電力装置（引用文献１参照）、第１および第２の増幅器のうち、低電力モードのとき、第２の増幅器をオフ状態にバイアス制御して、第１の増幅器のみを動作させる線形電力増幅器（引用文献２参照）、などが存在した。
【先行技術文献】
【特許文献】
【０００７】
【特許文献１】特開２０１１−１２０１４２号公報
【特許文献２】特表２００６−５００８８３号公報
【発明の概要】
【発明が解決しようとする課題】
【０００８】
本発明が解決しようとする課題は、インバータ段数の積み上げによる傾斜磁場電源構成においてスイッチング損失の低減を図った傾斜磁場電源装置を提供することである。
【課題を解決するための手段】
【０００９】
実施形態の傾斜磁場電源装置は、傾斜磁場コイルに供給する電圧を出力する多段に構成されたインバータブロックを有するインバータ部と、前記インバータ部を制御して傾斜磁場コイルに供給する傾斜磁場電源を制御する制御部とを具備し、前記インバータ部は、前記電圧を出力する電源出力端間において、前記多段に構成されたインバータブロックから一定の順序で所定のブロックを切り離し可能に切替接続するスイッチ手段を具備し、前記制御部は、目標とする傾斜磁場コイル電流波形の傾きをもとに単位時間あたりの傾きの増減判定を行い、当該増減判定に従い前記スイッチ手段を制御してインバータ段数の切替接続を実施し、切り離したインバータブロックへのスイッチング制御信号の供給を停止する処理手段を具備したことを特徴とする。
【図面の簡単な説明】
【００１０】
【図１】本発明の実施形態に係る傾斜磁場電源装置を適用可能なＭＲＩ装置の構成を示す概要図。
【図２】上記傾斜磁場電源装置の構成例を示すブロック図。
【図３】上記傾斜磁場電源装置の回路構成例を示す回路図。
【図４】上記傾斜磁場電源装置の制御処理手順を示すフローチャート。
【図５】上記傾斜磁場電源装置の傾斜磁場電流波形の制御例を説明するための動作説明図。
【図６】上記傾斜磁場電源装置の傾斜磁場電流波形の制御例を示すタイミングチャート。
【発明を実施するための形態】
【００１１】
傾斜磁場電源装置の仕様における特徴の一つである応答性は、傾斜磁場コイルに印加する電圧に依存するため、如何により高い電圧を傾斜磁場コイルに印加できるかが応答性向上のための課題となる。応答性の高い仕様の設計においては、傾斜磁場コイルに高電圧を印加できる構成とするが、具体的実現手法としては、上述したように、高耐圧の素子を多用する手法の他にも、インバータ段数を増やすことで電圧を積み上げ、高電圧とする手法も可能である。この何れの実現手法においても、高応答性が要求されない仕様においては装置のコスト上昇を招く要因になり、現状ではシステムまたは装置個々に、要求される性能に応じた個別設計を行っている。インバータ段数を増やす実現手法を採用した場合、高応答性を求めた装置構成では、高電圧印加に必要なインバータ段数が増加するため、必然的にインバータ回路素子によるスイッチング損失が増加し、運転状況によっては電力効率を低下させる要因となる。
【００１２】
この実施形態では、回路レベルでの仕様特化依存部が比較的限定されるインバータ段数を増やす実現手法を採用し、装置レベルに応じてインバータ段数を変更する回路構成とすることで、個別設計負担の軽減を図るとともに、装置コスト並びにメンテナンス負担の軽減を図り、高効率な運転を可能にする。この機能を実現するため、インバータブロックを積み上げたインバータ部を制御する制御部において、インバータ部のインバータ段数を装置の運転状況応じて動的に増減し、インバータ段数に余剰分が生じるときは、余剰分として積み上げから外されたインバータ段（インバータブロック）のスイッチング動作を停止させる。このように、装置運用段階で、運転状況（最大／定常等）に応じインバータブロックの段数を動的に制御し、運転状況に応じ動的にインバータ段数のスイッチングを停止させることで、応答性と高効率運転を両立することが可能となる。必要とされるインバータ段数は、制御対象の負荷や、求められる運転条件により都度異なるが、インバータ段数積み上げ方式の採用により、装置の基本構造を変えることなく、インバータ段数の増減で目的の仕様に合わせることが可能となる。また、運転状況に応じ動的にインバータ段数のスイッチングを停止させることで、運転状況（要求性能）の変化に追従して、出力に寄与しない余剰となるインバータ段数が生じる状況が生じる時は、当該インバータブロックにおけるスイッチング損失を低減することができる。
【００１３】
以下図面を参照して本発明の実施形態を説明する。この実施形態では、図において、傾斜磁場電源装置を「Ｇ−ＡＭＰ」と表記し、傾斜磁場コイルを「Ｇコイル」と表記している。
【００１４】
本実施形態に係る傾斜磁場電源装置（Ｇ−ＡＭＰ）を適用可能なＭＲＩ装置の概略的な構成を図１に示し、同傾斜磁場電源装置の構成例を図２に示し、同傾斜磁場電源装置の基本回路構成例を図３示す。
【００１５】
ＭＲＩ装置は、図１に示すように、傾斜磁場電源装置（Ｇ−ＡＭＰ）１と、ラジオ波送信部２と、ラジオ波受信部３と、ホスト機器４と、ホスト機器４の制御対象となるコイル（Ｌ）とを具備して構成される。コイル（Ｌ）は、この実施形態で制御の対象としている傾斜磁場コイル（Ｇコイル；Ｌａ）と、ＲＦコイル（Ｌｂ）と、静磁場コイル（Ｌｃ）とを具備して構成される。
【００１６】
ホスト機器４は、傾斜磁場電源装置（Ｇ−ＡＭＰ）１に対して、所望の傾斜磁場を得るための目標値を設定する。傾斜磁場電源装置（Ｇ−ＡＭＰ）１は、ホスト機器４により設定された目標値をもとに、例えば図５、図６に示すような電流波形を発生させる電圧を生成し、傾斜磁場コイル（Ｌａ）に供給する。なお、ここでは、静磁場コイル（Ｌｃ）への電源供給、並びにラジオ波（ＲＦ）の送受信動作（ラジオ波送信部２およびラジオ波受信部３の動作）について、その説明を省略する。
【００１７】
本発明の実施形態に係る傾斜磁場電源装置（Ｇ−ＡＭＰ）１は、図２に示すように、多段（ｎ段）に構成されたインバータブロック１２ａ，１２ｂ，…，１２ｎを有するインバータ部１１と、上位のホスト機器４から与えられた目標値（ＩＰ）と傾斜磁場コイル（Ｌａ）における傾斜磁場電源電流のフィードバック値（ＩＦ）とをもとにインバータ部１１のインバータブロック１２ａ，１２ｂ，…，１２ｎを制御する制御部１０とを具備して構成される。
【００１８】
インバータ部１１は、多段に積まれたインバータブロックのうち、最上段となる第１段目のインバータブロック１２ａにＰ（positive）側のインバータ出力端（ＤＴ−Ｐ）を有し、最下段となる第ｎ段目のインバータブロック１２ｎにＮ（negative）側のインバータ出力端（ＤＴ−Ｎ）を有して、当該インバータ出力端（ＤＴ−Ｐ，ＤＴ−Ｎ）から出力される電圧を傾斜磁場コイル（Ｌａ）に供給する。さらにインバータ部１１は、上記インバータ出力端（ＤＴ−Ｐ，ＤＴ−Ｎ）間において、上記多段に構成されたインバータブロックを段毎に一定の順序で切り離し可能に切替接続するスイッチ手段１３，１３，…を具備する。
【００１９】
制御部１０は、目標とする傾斜磁場コイル電流波形の傾きをもとに単位時間あたりの傾きの増減判定を行い、当該増減判定に従いインバータブロック制御信号（ＢＣ）を生成し、当該制御信号により上記スイッチ手段１３，１３，…をオン／オフ制御してインバータ段数の切替接続（積まれたインバータブロックの接続／切離）を実施し、切り離したインバータブロックへのスイッチング制御信号（ＧＣ）の供給を停止する処理手段を具備する。この処理手段の処理手順については図４を参照して後述する。
【００２０】
上記実施形態における傾斜磁場電源装置（Ｇ−ＡＭＰ）１の回路構成を図３に示す。ここでは説明を簡素にするため、インバータブロックを３段積んだ（ｎ＝３とした）インバータ部の構成を例示している。ここでは多段（３段）に積まれたインバータブロックのうち、最上段となる第１段目のインバータブロック１２ａにＰ側のインバータ出力端（ＤＴ−Ｐ）を有し、最下段となる第３段目のインバータブロック１２ｃにＮ側のインバータ出力端（ＤＴ−Ｎ）を有して、インバータブロック毎（段毎）にそれぞれ個別に動作用直流電源（ＰＳ（＋），ＰＳ（−））が供給され印加される。
【００２１】
上記インバータブロックを３段積んだインバータ構成において、最上段となる第１段目のインバータブロック１２ａと最下段となる第３段目のインバータブロック１２ｃとの各段間に、縦列接続されたスイッチ手段１３（１），１３（２）が設けられる。ここではスイッチ手段１３（１）が第１段目のインバータブロック１２ａと第２段目のインバータブロック１２ｂとのＮ側出力端間に接続され、スイッチ手段１３（２）が第２段目のインバータブロック１２ｂと第３段目のインバータブロック１２ｃとのＮ側出力端間に接続され、スイッチ手段１３（１）のコモン端子（ＣＯＭ）がスイッチ手段１３（２）のＯＦＦ側切替接点に接続され、スイッチ手段１３（２）のコモン端子（ＣＯＭ）がＮ側インバータ出力端（ＤＴ−Ｎ）となる接続構成としている。
【００２２】
スイッチ手段１３（１）は、制御部１０から出力されるインバータブロック制御信号（ＢＣ−１）によりオン／オフ制御され、スイッチオン状態にあるとき、最上段となる第１段目のインバータブロック１２ａと第２段目（中段）となるインバータブロック１２ｂが接続し、スイッチオフ状態にあるとき、第２段目のインバータブロック１２ｂに短絡路を形成して、インバータブロック１２ｂを積まれた段から切り離し、インバータブロック１２ｂをインバータ部１１に積まれた電力増幅段から外す。この切り離しタイミングに同期して、制御部１０は、切り離したインバータブロック１２ｂへのスイッチング制御信号（ＧＣ：ＧＣ−Ａ２ａ，ＧＣ−Ａ２ｂ，ＧＣ−Ｂ２ａ，ＧＣ−Ｂ２ｂ）の供給を停止する。
【００２３】
スイッチ手段１３（２）は、制御部１０から出力されるインバータブロック制御信号（ＢＣ−２）によりオン／オフ制御され、スイッチオン状態にあるとき、中段となる第２段目のインバータブロック１２ｂに最下段となる第３段目のインバータブロック１２ｃを積み、スイッチオフ状態にあるとき、第３段目のインバータブロック１２ｃに短絡路を形成して、インバータブロック１２ｃを積まれた段から切り離し、インバータブロック１２ｃをインバータ部１１に積まれた電力増幅段から外す。この切り離しタイミングに同期して、制御部１０は、切り離したインバータブロック１２ｃへのスイッチング制御信号（ＧＣ：ＧＣ−Ａ３ａ，ＧＣ−Ａ３ｂ，ＧＣ−Ｂ３ａ，ＧＣ−Ｂ３ｂ）の供給を停止する。
【００２４】
従って、スイッチ手段１３（１）とスイッチ手段１３（２）がともにスイッチオン状態にあるときは、インバータ部１１に３段すべてのインバータブロック１２ａ，１２ｂ，１２ｃが積まれて、インバータ出力端（ＤＴ−Ｐ，ＤＴ−Ｎ）から３段分の積み上げによる高い電圧が出力される。
【００２５】
スイッチ手段１３（１），１３（２）のうち、スイッチ手段１３（１）のみがスイッチオン状態にあるときは、最下段となる第３段目のインバータブロック１２ｃが、積まれた段から切り離されて、インバータ出力端（ＤＴ−Ｐ，ＤＴ−Ｎ）から２段分の積み上げによる電圧が出力される。
【００２６】
スイッチ手段１３（１），１３（２）がともにスイッチオフ状態にあるときは、インバータブロック１２ｂ，１２ｃがともに、積まれた段から切り離されて、インバータ出力端（ＤＴ−Ｐ，ＤＴ−Ｎ）から１段分のみの低い電圧が出力される。これらの各段数接続において、インバータ出力端（ＤＴ−Ｐ，ＤＴ−Ｎ）間には、傾斜磁場コイル（Ｌａ）を介してＰ側からＮ側への電流路と、その逆方向の電力路が交互に形成される。
【００２７】
上記した傾斜磁場電源装置（Ｇ−ＡＭＰ）１の制御部１０における制御処理手順を図４に示し、同装置の傾斜磁場電流波形の制御例を図５および図６に示す。
【００２８】
制御部１０は、図４に示す処理手順に従い、ホスト機器４から与えられた目標値に従い、目標とする傾斜磁場コイル電流波形の傾きをもとに単位時間あたりの傾きの増減判定を行い、当該増減判定に従い、上記スイッチ手段１３を制御してインバータ段数の切替接続を実施し、切り離したインバータブロックへのスイッチング制御信号の供給を停止する処理を実施する。この処理動作を図５および図６を参照して説明する。
【００２９】
ホスト機器４から傾斜磁場電源装置（Ｇ−ＡＭＰ）１に対して、ＭＲＩシステムが所望する傾斜磁場を得るための目標値が通知される。この目標値の形式はシステムにより多様であるが、ここでは傾斜磁場コイル電流波形が目標値として伝えられるケースを例に説明する。
【００３０】
制御部１０は、傾斜磁場電源に係る運転状況を監視し、インバータ段数に余剰分が生じるときは、動的に当該インバータ回路のスイッチングを停止することで、その時々の運転状況（要求性能）の変化に追従し、スイッチング損失を低減する制御処理機能を実現している。
【００３１】
制御部１０は、上記目標値を受け付けると（ステップＳ１１）、受け付けた目標値の傾き（ｄｉ／ｄｔ）を、単位サンプリング前の目標値と、現時点の目標値の差分情報等から算出する（ステップＳ１２）。この算出例を図５（ａ）に示している。
【００３２】
ここで算出した目標値の傾き（ｄｉ／ｄｔ）の大きさと向きから、傾斜磁場コイル（Ｌａ）への印加電圧を判定する（ステップＳ１２，Ｓ１３）。この判定は、目標値の傾き（ｄｉ／ｄｔ）の大きさが予め設定された閾値の範囲内であるか否かを判定し、目標値の傾き（ｄｉ／ｄｔ）の大きさが閾値を超えているとき、その傾きが増加方向であるか、減少方向であるかを判定する。ここで、傾きの大きさが閾値を超えた増加方向であるときは、傾き増加の判定をしてインバータ段数増加の処理を行い、傾きの大きさが閾値を超えた減少方向であるときは、傾き減少の判定をしてインバータ段数減少の処理を行い、傾きの大きさが閾値の範囲内であるときは、インバータ段数の増加やインバータ段数減少の処理は行わない。この判定例を図５（ｂ）に示している。
【００３３】
制御部１０は、上記傾斜磁場コイル（Ｌａ）への印加電圧の判定（ステップＳ１３）において、傾き増加の判定をすると、インバータ段数増加の処理を行い、図６（ｂ）および同図（ｃ）に示すように、インバータブロック制御信号（ＢＣ−１）およびインバータブロック制御信号（ＢＣ−２）をそれぞれスイッチオンレベルにして、スイッチ手段１３（１）およびスイッチ手段１３（２）をそれぞれスイッチオンにし、さらにこのスイッチオンタイミングに同期して、図６（ｄ）〜（ｆ）に示すように、インバータブロック１２ａへのスイッチング制御信号（ＧＣ：ＧＣ−Ａ１ａ，ＧＣ−Ａ１ｂ，ＧＣ−Ｂ１ａ，ＧＣ−Ｂ１ｂ）と、インバータブロック１２ｂへのスイッチング制御信号（ＧＣ：ＧＣ−Ａ２ａ，ＧＣ−Ａ２ｂ，ＧＣ−Ｂ２ａ，ＧＣ−Ｂ２ｂ）と、インバータブロック１２ｃへのスイッチング制御信号（ＧＣ：ＧＣ−Ａ３ａ，ＧＣ−Ａ３ｂ，ＧＣ−Ｂ３ａ，ＧＣ−Ｂ３ｂ）とをそれぞれ供給する（ステップＳ１３ａ）。これによりインバータ部１１の３段すべてのインバータブロック１２ａ，１２ｂ，１２ｃが電力増幅段として動作し、インバータ出力端（ＤＴ−Ｐ，ＤＴ−Ｎ）から、図６（ｇ）に「高」で示す、３段分の積み上げによる最大の電圧が出力される。
【００３４】
その後、上記傾斜磁場コイル（Ｌａ）への印加電圧の判定（ステップＳ１３）において、上記傾きの大きさが閾値の範囲となり、傾き減少と判定すると、図６（ｂ）および同図（ｃ）に示すように、インバータブロック制御信号（ＢＣ−１）およびインバータブロック制御信号（ＢＣ−２）をそれぞれスイッチオフレベルにして、スイッチ手段１３（１）およびスイッチ手段１３（２）をそれぞれスイッチオフにし、さらにこのスイッチオフタイミングに同期して、図６（ｄ）〜（ｆ）に示すように、インバータブロック１２ｂへのスイッチング制御信号（ＧＣ：ＧＣ−Ａ２ａ，ＧＣ−Ａ２ｂ，ＧＣ−Ｂ２ａ，ＧＣ−Ｂ２ｂ）、およびインバータブロック１２ｃへのスイッチング制御信号（ＧＣ：ＧＣ−Ａ３ａ，ＧＣ−Ａ３ｂ，ＧＣ−Ｂ３ａ，ＧＣ−Ｂ３ｂ）の供給をそれぞれ停止する（ステップＳ１３ｂ）。これによりインバータブロック１２ｂ，１２ｃがともに、積まれた段から切り離されて、インバータ出力端（ＤＴ−Ｐ，ＤＴ−Ｎ）から、図６（ｇ）に「低」で示す、１段分（最上段）のみによる最小の電圧が出力される。
【００３５】
その後、上記傾斜磁場コイル（Ｌａ）への印加電圧の判定（ステップＳ１３）において、傾き増加と判定すると、図６（ｂ）および同図（ｃ）に示すように、インバータブロック制御信号（ＢＣ−１）およびインバータブロック制御信号（ＢＣ−２）のうち、インバータブロック制御信号（ＢＣ−１）のみをスイッチオンレベルにして、スイッチ手段１３（１）をスイッチオンにし、さらにこのスイッチオンタイミングに同期して、図６（ｄ）〜（ｆ）に示すように、インバータブロック１２ｂへのスイッチング制御信号（ＧＣ：ＧＣ−Ａ２ａ，ＧＣ−Ａ２ｂ，ＧＣ−Ｂ２ａ，ＧＣ−Ｂ２ｂ）の供給を再開する（ステップＳ１３a）。これにより、インバータ部１１は、最下段となる第３段目のインバータブロック１２ｃが切り離されたインバータブロック１２ａ，１２ｂによる２段分の増幅段構成となり、インバータ出力端（ＤＴ−Ｐ，ＤＴ−Ｎ）から、図６（ｇ）に「中」で示す、２段分の積み上げによる電圧が出力される。
【００３６】
上記した実施形態によれば、ＭＲＩシステムにおいて求められる傾斜磁場コイル電流波形生成に必要な電圧に応じ、インバータブロックを動的に起動／停止制御することが可能となり、これによりインバータ部のスイッチングロスを必要最小限に抑えることができる。
【００３７】
また、構築するＭＲＩシステムの性能要求に応じ、汎用回路を基本にモジュール化した単一構成のインバータブロックを積み上げることで、所望の応答性能を容易に得ることができることから、無駄な電力消費を排除した経済性に優れたＭＲＩシステムを短期かつ容易に構築することができ、システムコストの低減化を図ることができる。
【００３８】
なお、上記した実施形態は、例として提示したもので、発明の範囲を限定することは意図していない。提示した実施形態はその他の様々な形態で実施されることが可能であり、発明の要旨を逸脱しない範囲で、種々の省略、置き換え、変更を行うことができる。
【符号の説明】
【００３９】
１…傾斜磁場電源装置（Ｇ−ＡＭＰ）、４…ホスト機器、１０…制御部、１１…インバータ部、１２（１２ａ，１２ｂ，…，１２ｎ）…インバータブロック、１３（１３（１），１３（２））…スイッチ手段、ＤＴ−Ｐ，ＤＴ−Ｎ…インバータ出力端、Ｌａ…傾斜磁場コイル（Ｇコイル）。
【図１】
2014083303.tif 000003
【図２】
2014083303.tif 000004
【図３】
2014083303.tif 000005
【図４】
2014083303.tif 000006
【図５】
2014083303.tif 000007
【図６】
2014083303.tif 000008